(57)【要約】【課題】  コンパクトでありながら画角およびバックフォーカスが十分に確保され、近紫外線領域において良好な収差性能を発揮し、かつ、容易に形成可能な近紫外線用結像レンズを提供する。【解決手段】  本発明の近紫外線用結像レンズは、負の屈折力を有する前群ＦＲと、正の屈折力を有する後群ＲＥとが物体側から順に配設されたものである。前群ＦＲは２枚の負のレンズＬ１１，Ｌ１２を有する。レンズＬ１１の面Ｓ１は非球面となっている。後群ＲＥは、アッベ数が７０以上である硝材からなる正のレンズＬ２１〜Ｌ２３を有すると共に、最も像側に負のレンズＬ３１を有する。レンズＬ２１の面Ｓ５およびレンズＬ３１の面Ｓ１２はいずれも非球面となっている。さらに、以下の条件式（１）から（３）を全て満足するように構成されている【選択図】      図１
2007052237.tif 000002
【特許請求の範囲】
【請求項１】
負の屈折力を有すると共に少なくとも１つの非球面を有する前群と、正の屈折力を有すると共に少なくとも１つの非球面を有する後群とを物体側から順に備え、
前記前群は、負レンズを少なくとも２枚有し、
前記後群は、アッベ数が７０以上である硝材からなる正レンズを少なくとも３枚有すると共に、最も像側に負レンズを有し、
さらに、以下の条件式（１）から（３）を全て満足するように構成されている
ことを特徴とする近紫外線用結像レンズ。
−３．０＜ｆＦＲ／ｆ＜−１．５  ……（１）
１．７＜ｆＲＥ／ｆ＜２．５  ……（２）
１．１＜Ｂｆ／ｆ＜１．８  ……（３）
但し、
ｆＦＲ：前群の焦点距離
ｆ：全系の焦点距離
ｆＲＥ：後群の焦点距離
Ｂｆ：全系のバックフォーカス
【請求項２】
前記前群における少なくとも１枚の負レンズは、アッベ数が６０以上である硝材からなる
ことを特徴とする請求項１に記載の近紫外線用結像レンズ。
【請求項３】
前記後群における最も像側の負レンズは、アッベ数が３８以下である硝材からなる
ことを特徴とする請求項１または請求項２に記載の近紫外線用結像レンズ。
【請求項４】
前記後群における最も像側の負レンズを構成する材料は、波長が３５０ｎｍである光に対して、１０ｍｍの厚みで８０％以上の透過率を示す
ことを特徴とする請求項１から請求項３のいずれか１項に記載の近紫外線用結像レンズ。
【請求項５】
前記前群および後群における全てのレンズは、結晶性光学材料、合成石英および溶融石英の全てを除く硝材によって構成されている
ことを特徴とする請求項１から請求項４のいずれか１項に記載の近紫外線用結像レンズ。
【発明の詳細な説明】
【技術分野】
【０００１】
本発明は、ＣＣＤ（Charge Coupled Device）や撮像管等の撮像素子を用いたデジタルカメラや、銀塩フィルムなどを用いたカメラに好適な固定焦点の結像レンズに係り、特に、近紫外線領域において使用される近紫外線用結像レンズに関する。
【背景技術】
【０００２】
従来より、紫外線領域に対応した光学系が様々な用途に用いられている。例えば、可視光に比べて物体表面での拡散が大きいという紫外線の特性を利用し、工業製品等の表面の傷検査が行われている。この場合、紫外線照明を物体表面に照射したのち結像レンズを介して反射光を検出することで、その物体表面の微細な傷や欠陥の有無を検査するようにしている。
【０００３】
このような紫外線領域で使用し得る結像レンズのレンズ材料としては、紫外線の透過率を考慮すると、事実上、蛍石（ＣａＦ2）および石英（ＳｉＯ2）の２種類のみに限られてしまう。なお、ここでいう石英とは、合成石英および溶融石英を意味する。ところが、これら蛍石や石英のみをレンズ材料として用いた場合には、それら相互間の色分散の差が比較的小さいことから色収差を低減することが難しく、しかも屈折率が比較的低いことからペッツバール和が大きくなる（像面湾曲の十分な補正が困難となる）傾向にある。このため、紫外線領域で使用される結像レンズは、例えば顕微鏡用対物レンズのような画角の狭い結像レンズとして使用されることが多かった。
【０００４】
このような背景から、本出願人は、良好な収差性能を確保しつつ広画角化を図るようにした結像レンズを開発し、特許文献１に開示している。
【特許文献１】特許第３３９７４３９号公報
【発明の開示】
【発明が解決しようとする課題】
【０００５】
ところが、紫外線用の結像レンズは、上記した傷検査以外にも自然観察など種々の用途での需要がある。こうした種々の用途に適用するにあたって、より長い（例えば、焦点距離程度の）バックフォーカスが要求されるようになってきている。また、蛍石などの結晶性光学材料や石英（合成石英および溶融石英）は、それ以外の光学材料に比べて一般に非常に高価である。また、蛍石については他の硝材と比べると加工性に劣るので、曲率半径の小さな面を高精度に形成したり研磨によって凹面を形成することが困難である。このため、結晶性光学材料や石英（合成石英および溶融石英）を用いることなく容易に形成可能な結像レンズが望まれている。
【０００６】
本発明はかかる問題点に鑑みてなされたもので、その目的は、コンパクトでありながら画角およびバックフォーカスが十分に確保され、近紫外線領域において良好な収差性能を発揮し、かつ、容易に形成可能な近紫外線用結像レンズを提供することにある。
【課題を解決するための手段】
【０００７】
本発明の近紫外線用結像レンズは、負の屈折力を有すると共に少なくとも１つの非球面を有する前群と、正の屈折力を有すると共に少なくとも１つの非球面を有する後群とを物体側から順に備えるようにしたものである。前群は、負レンズを少なくとも２枚有し、後群は、アッベ数が７０以上である硝材からなる正レンズを少なくとも３枚有すると共に最も像側に負レンズを有している。ここでいうアッベ数とは、ｄ線に対する屈折率Ｎｄから１をひいたもの（Ｎｄ−１）を、Ｆ線に対する屈折率ＮＦとＣ線に対する屈折率ＮＣとの差分（ＮＦ−ＮＣ）によって割った値（Ｎｄ−１）／（ＮＦ−ＮＣ）である。
【０００８】
本発明の近紫外線用結像レンズは、さらに、以下の条件式（１）から（３）を全て満足するように構成されている。但し、ｆＦＲは前群の焦点距離、ｆは全系の焦点距離、ｆＲＥは後群の焦点距離、Ｂｆは全系のバックフォーカスである。
【０００９】
−３．０＜ｆＦＲ／ｆ＜−１．５  ……（１）
１．７＜ｆＲＥ／ｆ＜２．５  ……（２）
１．１＜Ｂｆ／ｆ＜１．８  ……（３）
【００１０】
本発明の近紫外線用結像レンズでは、負の屈折力を有する前群と正の屈折力を有する後群とを物体側から順に備えるようにしたので、比較的大きな画角が得られる。前群が少なくとも１つの非球面を有することにより歪曲収差が補正され、後群が少なくとも１つの非球面を有することにより球面収差が補正される。最も像側に配置された負レンズにより、像面湾曲が補正される。後群では、少なくとも３枚の正レンズを有するので球面収差の発生が抑制されるうえ、それら３枚の正レンズが７０以上のアッベ数である硝材からなるので、分散が低減される。さらに、条件式（１）から（３）を満足するようにしたので、コンパクトな構成でありながら画角およびバックフォーカスが十分に確保される。このため、例えば３５０ｎｍ〜４００ｎｍ程度の近紫外線領域においても良好な収差性能が発揮される。
【００１１】
本発明の近紫外線用結像レンズでは、前群における少なくとも１枚の負レンズが、６０以上のアッベ数を示す硝材により構成されることが望ましい。また、後群における最も像側の負レンズが、３８以下のアッベ数である硝材からなることが望ましい。さらに、後群における最も像側の負レンズを構成する材料が、３５０ｎｍの波長の光に対して、１０ｍｍの厚みで８０％以上の透過率を示すものであるとよい。
【発明の効果】
【００１２】
本発明の近紫外線用結像レンズによれば、負の屈折力を有すると共に少なくとも１つの非球面を有する前群と、正の屈折力を有すると共に少なくとも１つの非球面を有する後群とを物体側から順に設け、負レンズを少なくとも２枚有するように前群を構成し、アッベ数が７０以上である硝材からなる正レンズを少なくとも３枚有すると共に最も像側に負レンズを有するように後群を構成し、さらに、以下の条件式（１）から（３）を全て満足するように構成したので、結晶性材料、合成石英および溶融石英の全てを除く硝材を用いた場合であっても、コンパクトな構成を維持しつつ、画角およびバックフォーカスを十分に確保し、近紫外線領域において良好な収差性能を発揮することができる。
【発明を実施するための最良の形態】
【００１３】
以下、本発明の実施の形態について、図面を参照して詳細に説明する。
【００１４】
図１は、本発明における一実施の形態としての近紫外線用結像レンズ（以下、単に結像レンズという。）の第１の構成例を示している。この構成例は、後述の第１の数値実施例（図４，図７）のレンズ構成に対応している。また、図２および図３は、それぞれ本実施の形態における第２および第３の構成例を示している。これら第２および第３の構成例は、それぞれ後述の第２の数値実施例（図５，図８）および第３の数値実施例（図６，図９）のレンズ構成に対応している。図１〜図３において、符号Ｓｉは、最も物体側の構成要素の面を１番目として、像側（結像側）に向かうに従い順次増加するようにして符号を付したｉ番目の面を示す。符号Ｒｉは、面Ｓｉの曲率半径を示す。符号Ｄｉは、ｉ番目の面Ｓｉとｉ＋１番目の面Ｓｉ＋１との光軸Ｚ１上の面間隔を示す。なお、各構成例共に基本的な構成は同じなので、以下では、図１に示した結像レンズの構成を基本にして説明する。
【００１５】
本実施の形態の結像レンズは、撮像素子を用いたデジタルカメラや、銀塩フィルムなどを用いたカメラに搭載され、例えば、傷検査等の各種の用途に使用される固定焦点レンズである。この結像レンズは、光軸Ｚ１に沿って、負の屈折力を有する前群ＦＲと、正の屈折力を有する後群ＲＥとを物体側から順に備えている。この結像レンズの結像面ＳimgにはＣＣＤ等の撮像素子（図示せず）が配置されている。
【００１６】
前群ＦＲは、少なくとも２枚の負レンズを有している。例えば図１では、物体側に凸面を向けた負のメニスカス形状をなすレンズＬ１１と、両凹形状をなすレンズＬ１２とを物体側から順に配設することにより前群ＦＲを構成している。または、図２に示した第２の構成例のように、いずれも物体側に凸面を向けた負のメニスカス形状をなすレンズＬ１１およびレンズＬ１２を物体側から順に配設するようにしてもよい。あるいは、図３に示した第３の構成例のように、両凹形状をなすレンズＬ１１と、物体側に凸面を向けた負のメニスカス形状をなすレンズＬ１２とを物体側から順に配設した構成としてもよい。これら２枚の負のレンズＬ１１，Ｌ１２は、少なくとも一方が６０以上のアッベ数νｄを有する硝材によって構成されている。例えば、図１の構成例では、レンズＬ１２のアッベ数νｄが６０以上（９４．９）となっている（図４参照）。これに対し、図２，図３の構成例では、いずれも、レンズＬ１１，Ｌ１２の双方が６０以上のアッベ数νｄを有する硝材によって構成されている（図５，図６参照）。なお、アッベ数νｄは、以下の式（４）によって規定されるものである。
【００１７】
νｄ＝（Ｎｄ−１）／（ＮＦ−ＮＣ）  ……（４）
但し、Ｎｄはｄ線に対する屈折率を表し、ＮＦはＦ線に対する屈折率を表し、ＮＣはＣ線に対する屈折率を表す。
【００１８】
後群ＲＥは、少なくとも３枚の正レンズを有すると共に、最も像側に負レンズを有している。具体的には、例えば図１の第１の実施例では、両凸形状のレンズＬ２１〜Ｌ２３と、両凹形状のレンズＬ３１とを物体側から順に配置することにより後群ＲＥを構成している。また、図２の第２の実施例では、両凸形状のレンズＬ２１〜Ｌ２３と、像側に凹面を向けた負のメニスカス形状のレンズＬ３１とを物体側から順に配置するようにしている。さらに、図３の第３の実施例では、像側に凸面を向けた正のメニスカス形状のレンズＬ２１と、物体側に凸面を向けた正のメニスカス形状のレンズＬ２２と、両凸形状のレンズＬ２３，Ｌ２４と、両凹形状のレンズＬ３１とを物体側から順に配置するようにしている。ここで、正のレンズＬ２１〜Ｌ２４は、いずれも、式（４）によって規定されるアッベ数νｄが７０以上の硝材によって構成されている。一方の負のレンズＬ３１は、式（４）によって規定されるアッベ数νｄが３８以下の硝材によって構成されている。このレンズＬ３１を構成する硝材は、近紫外線領域である３５０ｎｍの波長を有する光に対して、１０ｍｍの厚みで８０％以上の透過率を示すものである。
【００１９】
本実施の形態の結像レンズにおける前群ＦＲおよび後群ＲＥでは、それぞれ少なくとも１つの面が以下の式（５）で表される非球面形状をなしている。特に、非球面係数Ａｉとして奇数次の項を有効に用いた非球面形状となっていることが望ましい。図１，図２に示した実施例１，２においては、レンズＬ１１の物体側の面Ｓ１、レンズＬ２１の物体側の面Ｓ５およびレンズＬ３１の像側の面Ｓ１２が非球面係数Ａｉとして奇数次の項を有効に用いた非球面形状となっている。また、図３の実施例３では、レンズＬ１１の物体側の面Ｓ１およびレンズＬ２４の像側の面Ｓ１２が非球面形状となっている。なお、「奇数次の項を有効に用いた」とは、奇数次の非球面係数（Ａ3やＡ5など）の値として０（零）以外の数値を用いることを意味する。
【００２０】
Ｚ＝Ｃ・ｙ2／｛１＋（１−Ｋ・Ｃ2・ｙ2）1/2｝＋ΣＡi・ｙi  ……（５）
但し、Ｚは非球面の深さ、ｙは光軸からレンズ面までの距離（高さ）、Ｋは離心率、Ｃ（＝１／Ｒ)は近軸曲率、Ａiは第ｉ次（ｉ＝３以上の整数）の非球面係数を示す。
【００２１】
さらに、この結像レンズは、以下の条件式（１）から（３）を全て満足するように構成されている。但し、ｆＦＲは前群ＦＲの焦点距離、ｆは全系の焦点距離、ｆＲＥは後群ＲＥの焦点距離、Ｂｆは全系のバックフォーカスである。
−３．０＜ｆＦＲ／ｆ＜−１．５  ……（１）
１．７＜ｆＲＥ／ｆ＜２．５  ……（２）
１．１＜Ｂｆ／ｆ＜１．８  ……（３）
【００２２】
また、前群ＦＲおよび後群ＲＥにおける各レンズは、結晶性材料（例えば蛍石（ＣａＦ2））、合成石英および溶融石英の全てを除く硝材によって構成されている。
【００２３】
次に、以上のように構成された本実施の形態の結像レンズの作用および効果を説明する。
【００２４】
この結像レンズでは、負の屈折力を有する前群ＦＲと正の屈折力を有する後群ＲＥとを物体側から順に備えるようにしたので、比較的大きな画角が得られる。前群ＦＲが少なくとも１つの非球面を有することにより歪曲収差が補正される。後群ＲＥに少なくとも１つの非球面が存在することで、比較的少ないレンズ枚数であっても球面収差が補正され、高い透過率が維持される。また、最も像側に配置された負のレンズＬ３１により、像面湾曲が補正される。後群ＲＥでは、正のレンズＬ２１〜Ｌ２３（またはＬ２１〜Ｌ２４）の存在により球面収差の発生が抑制されるうえ、これら正のレンズＬ２１〜Ｌ２３（またはＬ２１〜Ｌ２４）が７０以上のアッベ数νｄである硝材からなるので、分散が低減される。分散の低減により、比較的少ないレンズ枚数により色収差が補正可能となり、透過率の低下が抑制される。
【００２５】
前群ＦＲにおけるレンズＬ１１，Ｌ１２のうちの少なくとも一方が６０以上のアッベ数νｄを示す硝材によって構成されており、最も像側のレンズＬ３１が、３８以下のアッベ数νｄを示す硝材によって構成されているので、倍率色収差および軸上色収差がバランス良く補正される。
【００２６】
さらに、条件式（１）から（３）を満足するようにしたので、コンパクトな構成でありながら画角およびバックフォーカスが十分に確保される。このため、例えば３２０ｎｍ〜４００ｎｍ程度の近紫外線領域においても良好な収差性能が発揮される。以下、上記した条件式（１）〜（３）の意義について説明する。
【００２７】
条件式（１）は、全系の屈折力（１／ｆ）に対する前群ＦＲの屈折力（１／ｆＦＲ）の大きさを表す量（ｆＦＲ／ｆ）の適正な範囲を表す式である。前群ＦＲの屈折力配分を適正化することにより、諸収差の補正と、十分なバックフォーカスの確保とをバランス良く実施することができる。ここで、条件式（１）の下限を下回って前群ＦＲの負の屈折力が小さくなりすぎると、画角およびバックフォーカスが十分に得られなくなる。一方、条件式（１）の上限を超えて前群ＦＲの負の屈折力が強くなりすぎると、歪曲収差を行う非球面に多大な負担が生じてコマ収差が発生するうえ、色収差が不十分となる。
【００２８】
条件式（２）は、全系の屈折力（１／ｆ）に対する後群ＲＥの屈折力（１／ｆＲＥ）の大きさを表す量（ｆＲＥ／ｆ）の適正な範囲を表す式である。後群ＲＥの屈折力配分を適正化することにより、諸収差の補正と、十分なバックフォーカスの確保とをバランス良く実施することができる。ここで、条件式（２）の下限を下回って後群ＲＥの正の屈折力が強くなりすぎると、バックフォーカスが不足し、像面湾曲を十分に補正しきれなくなる。一方、条件式（２）の上限を超えて後群ＲＥの正の屈折力が弱まってしまうと、前群ＦＲにおいて生じた球面収差を十分に補正できなくなってしまう。また、全長が長くなってしまい、コンパクト化が困難となる。
【００２９】
また、条件式（３）によって、全系の焦点距離ｆに対する全系のバックフォーカスＢｆの大きさが規定される。ここで、下限を下回ると、後群ＲＥと結像面Ｓimgとの距離が短くなりすぎてしまい、フィルタやマウントなどの光学部材の配置が困難となる。一方、上限を超えると後群ＲＥのパワーが不足することとなり、像面湾曲、歪曲収差および倍率色収差をバランス良く補正することが困難となってしまう。また、全長が長くなってしまい、コンパクト化が困難となる。
【００３０】
このように、本実施の形態に係る結像レンズによれば、前群ＦＲおよび後群ＲＥを上記のように構成し、さらに上記各条件式（１）〜（３）を満足することにより、結晶性材料、合成石英および溶融石英の全てを除く硝材を用いた場合であっても、比較的少ないレンズ枚数からなるコンパクトな構成を維持しつつ、十分なバックフォーカスおよび広画角を確保することができるうえ、近紫外線領域においても極めて良好な収差性能を得ることができる。
【実施例】
【００３１】
次に、本実施の形態に係る結像レンズの具体的な数値実施例について説明する。以下では、第１〜第３の数値実施例（実施例１〜３）をまとめて説明する。
【００３２】
図１〜図３に示した結像レンズの構成にそれぞれ対応する具体的な基本的なレンズデータを図４〜図６に示す。さらに、図７〜図９には、それぞれ図１〜図３に示した結像レンズの構成にそれぞれ対応する非球面形状に関するデータを示す。
【００３３】
図４〜図６におけるＳｉ（面番号）の欄には、各実施例の結像レンズについて、図１〜図３にそれぞれ示した符号Ｓｉに対応させて、最も物体側の構成要素の面を１番目として、平行平面板ＧＣを含めて像側に向かうに従い順次増加するｉ番目（ｉ＝１〜１２または１〜１４）の面の番号を示す。Ｒｉ（曲率半径）の欄には、図１〜図３で示した符号Ｒｉに対応させて、物体側からｉ番目の面Ｓｉの曲率半径の値を示す。曲率半径Ｒｉの値が∞の部分は、平面であることを示す。同様に、Ｄｉ（面間隔）の欄には、図１〜図３に示した符号Ｄｉに対応させて、物体側からｉ番目の面Ｓｉとｉ＋１番目の面Ｓｉ＋１との光軸上の間隔を示す。ここで、曲率半径Ｒｉおよび面間隔Ｄｉの単位はミリメートル（ｍｍ）である。さらに、Ｎｄｊ（屈折率）およびνｄｊ（アッベ数）の欄には、物体側からｊ番目（ｊ＝１〜６または１〜７）のレンズ要素の波長３６０ｎｍの光線に対する屈折率およびアッベ数の値を示す。さらに、硝種の欄には、各レンズを構成する硝材名を示す。
【００３４】
さらに、実施例１〜３の結像レンズにおける全系の焦点距離ｆ、バックフォーカスＢｆ、前群の焦点距離ｆＦＲおよび後群の焦点距離ｆＲＥの各々の値（いずれも単位はミリメートル［ｍｍ］）を、図１０にまとめて示す。
【００３５】
さらに、実施例１〜３の結像レンズにおける各条件式（１）〜（３）に対応する数値を図１１にまとめて示す。図１１に示したデータから明らかなように、実施例１〜３の結像レンズは、いずれも条件式（１）〜（３）を全て満足している。
【００３６】
図１２（Ａ）〜（Ｄ）には、実施例１の結像レンズにおける球面収差、非点収差、ディストーション（歪曲収差）および倍率色収差を示す。球面収差を示す図１２（Ａ）においては、３４０ｎｍ，３６０ｎｍ，３８０ｎｍの波長の各光線についての値を示す。非点収差を示す図１２（Ｂ）においては、実線がサジタル方向の収差を示し、破線がタンジェンシャル（メリジオナル）方向の収差を示す。また、FNO.はＦナンバーを示し、ωは半画角を示す。同様に、実施例２についての諸収差を図１３（Ａ）〜（Ｄ）に示すと共に、実施例３についての諸収差を図１４（Ａ）〜（Ｄ）に示す。
【００３７】
さらに、図１５〜図１７には、実施例１〜３の各結像レンズにおける分光透過率を示す。図１５〜図１７では、横軸が波長（ｎｍ）を示し、縦軸が透過率（％）を示す。
【００３８】
以上、各数値データおよび各収差図から明らかなように、各実施例において、３８°を超える画角と、全系の焦点距離ｆを超える十分な長さのバックフォーカスＢｆとを確保しつつ、極めて良好な収差性能を得ることができた。さらに、図１５〜図１７の特性図から明らかなように、３５０ｎｍ〜７００ｎｍの波長域において８０％を超える透過率を確保することができた。
【００３９】
以上、いくつかの実施の形態および実施例を挙げて本発明を説明したが、本発明は上記実施の形態および実施例に限定されず、種々の変形が可能である。例えば、各レンズ成分の曲率半径、面間隔および屈折率の値は、上記各数値実施例で示した値に限定されず、他の値をとり得るものである。また、各レンズの硝種についても上記各実施例に示したものに限定されず、他の硝材を用いることも可能である。
【図面の簡単な説明】
【００４０】
【図１】本発明の一実施の形態としての結像レンズにおける第１の構成例を示すものであり、実施例１に対応する断面図である。
【図２】本発明の一実施の形態としての結像レンズにおける第２の構成例を示すものであり、実施例２に対応する断面図である。
【図３】本発明の一実施の形態としての結像レンズにおける第３の構成例を示すものであり、実施例３に対応する断面図である。
【図４】実施例１の結像レンズにおける基本レンズデータを示す説明図である。
【図５】実施例２の結像レンズにおける基本レンズデータを示す説明図である。
【図６】実施例３の結像レンズにおける基本レンズデータを示す説明図である。
【図７】実施例１の結像レンズにおける非球面形状に関するデータを示す説明図である。
【図８】実施例２の結像レンズにおける非球面形状に関するデータを示す説明図である。
【図９】実施例３の結像レンズにおける非球面形状に関するデータを示す説明図である。
【図１０】実施例１〜３の各結像レンズにおけるその他のレンズデータを示す説明図である。
【図１１】実施例１〜３の各結像レンズにおける条件式（１）〜（３）に対応する数値を示す説明図である。
【図１２】実施例１の結像レンズにおける球面収差、非点収差、ディストーションおよび倍率色収差を示す収差図である。
【図１３】実施例２の結像レンズにおける球面収差、非点収差、ディストーションおよび倍率色収差を示す収差図である。
【図１４】実施例３の結像レンズにおける球面収差、非点収差、ディストーションおよび倍率色収差を示す収差図である。
【図１５】実施例１の結像レンズにおける分光透過率を示す特性図である。
【図１６】実施例２の結像レンズにおける分光透過率を示す特性図である。
【図１７】実施例３の結像レンズにおける分光透過率を示す特性図である。
【符号の説明】
【００４１】
ＦＲ…前群、ＲＥ…後群、Ｓｉ…物体側から第ｉ番目のレンズ面、Ｒｉ…物体側から第ｉ番目のレンズ面の曲率半径、Ｄｉ…物体側から第ｉ番目と第（ｉ＋１）番目のレンズ面との面間隔、Ｓimg…結像面（撮像面）、Ｚ１…光軸。
【図１】
2007052237.tif 000003
【図２】
2007052237.tif 000004
【図３】
2007052237.tif 000005
【図４】
2007052237.tif 000006
【図５】
2007052237.tif 000007
【図６】
2007052237.tif 000008
【図７】
2007052237.tif 000009
【図８】
2007052237.tif 000010
【図９】
2007052237.tif 000011
【図１０】
2007052237.tif 000012
【図１１】
2007052237.tif 000013
【図１２】
2007052237.tif 000014
【図１３】
2007052237.tif 000015
【図１４】
2007052237.tif 000016
【図１５】
2007052237.tif 000017
【図１６】
2007052237.tif 000018
【図１７】
2007052237.tif 000019